(57)【要約】【課題】電子機器の一層の小型化に寄与できる嵌合構造を実現し時、スタッキングコネクタの嵌合接続作業が一段と確実かつ容易に行えるようにする。【解決手段】メイン基板本体部１１ａから、Ｓ字状引出し部１１ｂを介して、一体的に延在される上側コネクタ実装部１１ｃを備えるメインフレキシブル基板１１と、サブ基板本体部１４ａから、U字状引出し部１４ｂを介して、一体的に延在される下側コネクタ実装部１４ｃを備えるサブフレキシブル基板１４とを用い、メインフレキシブル基板１１では、Ｓ字状引出し部１１ｂを、Ｓ字状に折曲して、上側コネクタ実装部１１ｃ側の上側コネクタ１３ａの嵌合面を下向きとする一方、サブフレキシブル基板では、U字状引出し部１４ｂを、Ｕ字状に折り返して、下側コネクタ実装部１４ｃ側の下側コネクタ１３ｂの被嵌合面を上向きとし、この状態で、上側コネクタ１３ａを下側コネクタ１３ｂに嵌合して接続する。【選択図】図９
2008198449.tif 000002
【特許請求の範囲】
【請求項１】
電子機器の筐体内に実装される第１のフレキシブル基板と第２のフレキシブル基板とがスタッキングコネクタを用いて接続されるスタッキングコネクタの接続構造であって、
前記第１のフレキシブル基板が、第１の基板本体部と、該第１の基板本体部から信号線を引き出すための第１の引出し部と、該第１の引出し部の先端に設けられ、第１のコネクタが実装された第１のコネクタ実装部とからなり、
前記第２のフレキシブル基板が、第２の基板本体部と、該第２の基板本体部から信号線を引き出すための第２の引出し部と、該第２の引出し部の先端に設けられ、第２のコネクタが実装された第２のコネクタ実装部とからなると共に、
前記第１のフレキシブル基板では、前記第１の引出し部が、折曲又は湾曲されて、前記第１のコネクタ実装部に実装されている前記第１のコネクタが、その嵌合面を下向きとされる一方、前記第２のフレキシブル基板では、前記第２の引出し部が、折曲又は湾曲されて、前記第２のコネクタ実装部に実装されている前記第２のコネクタが、その被嵌合面を上向きとされ、かつ、
前記被嵌合面を上向きとされた前記第２のコネクタの上に、前記嵌合面を下向きとされた前記第１のコネクタが積重される態様で、前記第１のコネクタと前記第２のコネクタとが、嵌合されて接続されていることを特徴とするスタッキングコネクタの接続構造。
【請求項２】
電子機器の筐体内に実装される第１のフレキシブル基板と第２のフレキシブル基板とがスタッキングコネクタを用いて接続されるスタッキングコネクタの接続構造であって、
前記第１のフレキシブル基板が、第１の基板本体部と、該第１の基板本体部から信号線を引き出すための第１の引出し部と、該第１の引出し部の先端に設けられ、第１のコネクタが実装された第１のコネクタ実装部とからなり、
前記第２のフレキシブル基板が、第２の基板本体部と、該第２の基板本体部から信号線を引き出すための第２の引出し部と、該第２の引出し部の先端に設けられ、第２のコネクタが実装された第２のコネクタ実装部とからなると共に、
前記第１のフレキシブル基板では、前記第１の基板本体部が、前記筐体を構成するケースの一方の面に実装され、前記第１のコネクタ実装部が、前記ケースに設けられた開口部を潜り抜けて、互いに表裏の関係をなす前記ケースの前記一方の面側から他方の面側に移されて、該他方の面側にて、前記第１の引出し部が、折曲又は湾曲されて、前記第１のコネクタ実装部に実装されている前記第１のコネクタが、その嵌合面を下向きとされる一方、前記第２のフレキシブル基板は、前記ケースの前記他方の面に実装され、前記第２の引出し部が、折曲又は湾曲されて、前記第２のコネクタ実装部に実装されている前記第２のコネクタが、その被嵌合面を上向きとされ、かつ、
前記被嵌合面を上向きとされた前記第２のコネクタの上に、前記嵌合面を下向きとされた前記第１のコネクタが積重される態様で、前記第１のコネクタと前記第２のコネクタとが、嵌合されて接続されていることを特徴とするスタッキングコネクタの接続構造。
【請求項３】
前記第２のフレキシブル基板を構成する前記第２のコネクタ実装部には、前記第１のコネクタと前記第２のコネクタとを嵌合接続する際のブラインド作業を容易とするための押さえ用舌片が延設されていることを特徴とする請求項１又は２記載のスタッキングコネクタの接続構造。
【請求項４】
前記第１のフレキシブル基板では、前記第１の引出し部が、概略Ｓ字状に折曲又は湾曲されて、前記第１のコネクタ実装部側の前記第１のコネクタが、前記嵌合面を下向きとされる一方、前記第２のフレキシブル基板では、前記第２の引出し部が、概略Ｕ字状に折曲又は湾曲されて、前記第２のコネクタ実装部側の前記第２のコネクタが、前記被嵌合面を上向きとされていることを特徴とする請求項１又は２記載のスタッキングコネクタの接続構造。
【請求項５】
前記第２の基板本体部には電子部品又は電気部品が実装されていて、かつ、前記第２の引出し部が、折り返されて、前記第２のコネクタ実装部が、前記電子部品又は電気部品の上に搭載される態様で、前記第２のコネクタが、前記被嵌合面を上向きとされていることを特徴とする請求項１又は２記載のスタッキングコネクタの接続構造。
【請求項６】
前記第１のフレキシブル基板では、前記第１の引出し部の幅が、前記第１の基板本体部と、前記第１のコネクタ実装部のそれらよりも、狭幅に構成されて括れ部とされ、かつ、
前記第２のフレキシブル基板では、前記第２の引出し部の幅が、前記第２の基板本体部と、前記第２のコネクタ実装部のそれらよりも、狭幅に構成されて括れ部とされていることを特徴とする請求項１又は２記載のスタッキングコネクタの接続構造。
【請求項７】
請求項１乃至６の何れか１に記載のスタッキングコネクタの接続構造を備えてなることを特徴とする電子機器。
【請求項８】
電子機器の筐体内に実装される第１のフレキシブル基板と第２のフレキシブル基板とをスタッキングコネクタを用いて接続するスタッキングコネクタの接続方法であって、
第１の基板本体部と、該第１の基板本体部から信号線を引き出すための第１の引出し部と、該第１の引出し部の先端に設けられ、第１のコネクタが実装された第１のコネクタ実装部とからなる前記第１のフレキシブル基板を形成して用意すると共に、
第２の基板本体部と、該第２の基板本体部から信号線を引き出すための第２の引出し部と、該第２の引出し部の先端に設けられ、第２のコネクタが実装された第２のコネクタ実装部とからなる前記第２のフレキシブル基板を形成して用意し、
前記第１のコネクタと前記第２のコネクタとを嵌合接続する際には、
前記第１のフレキシブル基板に対しては、前記第１の引出し部を折曲又は湾曲して、前記第１のコネクタ実装部に実装されている前記第１のコネクタを嵌合面を下向きとする一方、前記第２のフレキシブル基板に対しては、前記第２の引出し部を折曲又は湾曲して、前記第２のコネクタ実装部に実装されている前記第２のコネクタの被嵌合面を上向きとした後、
前記被嵌合面を上向きとされた前記第２のコネクタの上に、前記嵌合面を下向きとされた前記第１のコネクタを積重して、前記第１のコネクタと前記第２のコネクタとを、嵌合して接続することを特徴とするスタッキングコネクタの接続方法。
【請求項９】
電子機器の筐体内に実装される第１のフレキシブル基板と第２のフレキシブル基板とをスタッキングコネクタを用いて接続するスタッキングコネクタの接続方法であって、
第１の基板本体部と、該第１の基板本体部から信号線を引き出すための第１の引出し部と、該第１の引出し部の先端に設けられ、第１のコネクタが実装された第１のコネクタ実装部とからなる前記第１のフレキシブル基板を形成して用意すると共に、
第２の基板本体部と、該第２の基板本体部から信号線を引き出すための第２の引出し部と、該第２の引出し部の先端に設けられ、第２のコネクタが実装された第２のコネクタ実装部とからなる前記第２のフレキシブル基板を形成して用意し、
前記第１のコネクタと前記第２のコネクタとを嵌合接続する際には、
まず、前記筐体を構成するケースの一方の面側に実装される前記第１の基板本体部を有する前記第１のフレキシブル基板に対して、前記第１のコネクタ実装部を、前記ケースに設けられた開口部を潜り抜けさせることで、互いに表裏の関係をなす前記ケースの前記一方の面側から他方の面側に移し、
次に、前記第２のフレキシブル基板を、前記ケースの前記他方の面に実装し、前記第２の引出し部を、折曲又は湾曲して、前記第２のコネクタ実装部に実装されている前記第２のコネクタの被嵌合面を上向きとし、
次に、前記第１の引出し部を、折曲又は湾曲して、前記第１のコネクタ実装部に実装されている前記第１のコネクタの嵌合面を下向きとし、
前記被嵌合面を上向きとされた前記第２のコネクタの上に、前記嵌合面を下向きとされた前記第１のコネクタを積重して、前記第１のコネクタと前記第２のコネクタとを、嵌合して接続することを特徴とするスタッキングコネクタの接続方法。
【請求項１０】
電子機器の筐体内に実装される第１のフレキシブル基板と第２のフレキシブル基板とをスタッキングコネクタを用いて接続するスタッキングコネクタの接続方法であって、
第１の基板本体部と、該第１の基板本体部から信号線を引き出すための第１の引出し部と、該第１の引出し部の先端に設けられ、第１のコネクタが実装された第１のコネクタ実装部とからなる前記第１のフレキシブル基板を形成して用意すると共に、
第２の基板本体部と、該第２の基板本体部から信号線を引き出すための第２の引出し部と、該第２の引出し部の先端に設けられ、第２のコネクタが実装された第２のコネクタ実装部と、該第２のコネクタ実装部に延設された押さえ用舌片とからなる前記第２のフレキシブル基板を形成して用意し、
前記第１のコネクタと前記第２のコネクタとを嵌合接続する際には、
まず、前記第２のフレキシブル基板側の前記第２の引出し部を折曲又は湾曲して、前記第２のコネクタ実装部に実装されている前記第２のコネクタの被嵌合面を上向きとし、前記押さえ用舌片を押さえて、前記第２のコネクタの上向きの前記被嵌合面の姿勢を適正状態に保持しながら、
前記第１のフレキシブル基板側の前記第１の引出し部を折曲又は湾曲して、前記第１のコネクタ実装部に実装されている前記第１のコネクタの嵌合面を下向きとして、
前記被嵌合面を上向きとされた前記第２のコネクタの上に、前記嵌合面を下向きとされた前記第１のコネクタを積重して、前記第１のコネクタと前記第２のコネクタとを、嵌合して接続することを特徴とするスタッキングコネクタの接続方法。
【請求項１１】
電子機器の筐体内に実装される第１のフレキシブル基板と第２のフレキシブル基板とをスタッキングコネクタを用いて接続するスタッキングコネクタの接続方法であって、
第１の基板本体部と、該第１の基板本体部から信号線を引き出すための第１の引出し部と、該第１の引出し部の先端に設けられ、第１のコネクタが実装された第１のコネクタ実装部とからなる前記第１のフレキシブル基板を形成して用意すると共に、
第２の基板本体部と、該第２の基板本体部から信号線を引き出すための第２の引出し部と、該第２の引出し部の先端に設けられ、第２のコネクタが実装された第２のコネクタ実装部と、該第２のコネクタ実装部に延設された押さえ用舌片とからなる前記第２のフレキシブル基板を形成して用意し、
前記第１のコネクタと前記第２のコネクタとを嵌合接続する際には、
まず、前記筐体を構成するケースの一方の面側に実装される前記第１の基板本体部を有する前記第１のフレキシブル基板に対して、前記第１のコネクタ実装部を、前記ケースに設けられた開口部を潜り抜けさせることで、互いに表裏の関係をなす前記ケースの前記一方の面側から他方の面側に移し、
次に、前記第２のフレキシブル基板を、前記ケースの前記他方の面に実装し、前記第２の引出し部を、折曲又は湾曲して、前記第２のコネクタ実装部に実装されている前記第２のコネクタの被嵌合面を上向きとし、前記押さえ用舌片を押さえて、前記第２のコネクタの上向きの前記被嵌合面の姿勢を適正状態に保持しながら、
前記第１のフレキシブル基板側の前記第１の引出し部を折曲又は湾曲して、前記第１のコネクタ実装部に実装されている前記第１のコネクタの嵌合面を下向きとして、
前記被嵌合面を上向きとされた前記第２のコネクタの上に、前記嵌合面を下向きとされた前記第１のコネクタを積重して、前記第１のコネクタと前記第２のコネクタとを、嵌合して接続することを特徴とするスタッキングコネクタの接続方法。
【請求項１２】
前記第１のフレキシブル基板に対しては、前記第１の引出し部を、概略Ｓ字状に折曲又は湾曲して、前記第１のコネクタ実装部に実装されている前記第１のコネクタの嵌合面を下向きとする一方、前記第２のフレキシブル基板に対しては、前記第２の引出し部を、概略Ｕ字状に折曲又は湾曲して、前記第２のコネクタ実装部に実装されている前記第２のコネクタの前記被嵌合面を上向きとすることを特徴とする請求項８、９、１０又は１１記載のスタッキングコネクタの接続方法。
【請求項１３】
前記第２の基板本体部に電子部品又は電気部品を実装し、かつ、前記第２の引出し部を、折り返して、前記第２のコネクタ実装部を、前記電子部品又は電気部品の上に搭載した状態で、前記第２のコネクタの前記被嵌合面を上向きとすることを特徴とする請求項８、９、１０又は１１記載のスタッキングコネクタの接続方法。
【請求項１４】
前記第１のフレキシブル基板では、前記第１の引出し部の幅が、前記第１の基板本体部と、前記第１のコネクタ実装部のそれらよりも、狭幅に構成されて括れ部とされ、かつ、
前記第２のフレキシブル基板では、前記第２の引出し部の幅が、前記第２の基板本体部と、前記第２のコネクタ実装部のそれらよりも、狭幅に構成されて括れ部とされていることを特徴とする請求項８、９、１０又は１１記載のスタッキングコネクタの接続方法。
【発明の詳細な説明】
【技術分野】
【０００１】
この発明は、機器筐体の小型化に寄与できるスタッキングコネクタの接続方法及び接続構造並びに該接続構造を備えた電子機器に係り、とりわけ、小型携帯電子機器に適用して好適である。
【背景技術】
【０００２】
フレキシブルプリント配線基板（ＦＰＣ基板：以下、簡単に、フレキシブル基板とも言う）は、軽量な上、筐体内の狭い空き空間に彎曲して収納できるので、従来から、携帯電話等の回路基板として多用されている。例えば、特許文献１には、フレキシブル基板が、電子機器筐体の側壁から底板部に沿って、屈曲配設されると共に、異なるフレキシブル基板間が、スタッキングコネクタと呼ばれる基板間コネクタによって、電気的に接続される技術が開示されている（特許文献１）。
【特許文献１】特開２０００−３３１７３０号公報
【発明の開示】
【発明が解決しようとする課題】
【０００３】
しかしながら、薄型の電子機器筐体では、構造上、機器筐体の側壁から底板部に沿って這わせることは、困難であるし、機器筐体の側壁から底板部に沿って這わせることによっては、さらなる小型化にも寄与できないので、不都合である。
【０００４】
この発明は、上述の事情に鑑みてなされたもので、電子機器のなお一層の小型化に寄与でき、機器組立時、スタッキングコネクタの上側コネクタと下側コネクタとの嵌合接続作業を一段と確実容易に行うことができるスタッキングコネクタの接続方法及び接続構造並びに該接続構造を備えた電子機器を提供することを目的としている。
【課題を解決するための手段】
【０００５】
上記課題を解決するために、請求項１記載の発明は、電子機器の筐体内に実装される第１のフレキシブル基板と第２のフレキシブル基板とがスタッキングコネクタを用いて接続されるスタッキングコネクタの接続構造に係り、前記第１のフレキシブル基板が、第１の基板本体部と、該第１の基板本体部から信号線を引き出すための第１の引出し部と、該第１の引出し部の先端に設けられ、第１のコネクタが実装された第１のコネクタ実装部とからなり、前記第２のフレキシブル基板が、第２の基板本体部と、該第２の基板本体部から信号線を引き出すための第２の引出し部と、該第２の引出し部の先端に設けられ、第２のコネクタが実装された第２のコネクタ実装部とからなると共に、前記第１のフレキシブル基板では、前記第１の引出し部が、折曲又は湾曲されて、前記第１のコネクタ実装部に実装されている前記第１のコネクタが、その嵌合面を下向きとされる一方、前記第２のフレキシブル基板では、前記第２の引出し部が、折曲又は湾曲されて、前記第２のコネクタ実装部に実装されている前記第２のコネクタが、その被嵌合面を上向きとされ、かつ、前記被嵌合面を上向きとされた前記第２のコネクタの上に、前記嵌合面を下向きとされた前記第１のコネクタが積重される態様で、前記第１のコネクタと前記第２のコネクタとが、嵌合されて接続されていることを特徴としている。
【０００６】
請求項２記載の発明は、電子機器の筐体内に実装される第１のフレキシブル基板と第２のフレキシブル基板とがスタッキングコネクタを用いて接続されるスタッキングコネクタの接続構造に係り、前記第１のフレキシブル基板が、第１の基板本体部と、該第１の基板本体部から信号線を引き出すための第１の引出し部と、該第１の引出し部の先端に設けられ、第１のコネクタが実装された第１のコネクタ実装部とからなり、前記第２のフレキシブル基板が、第２の基板本体部と、該第２の基板本体部から信号線を引き出すための第２の引出し部と、該第２の引出し部の先端に設けられ、第２のコネクタが実装された第２のコネクタ実装部とからなると共に、前記第１のフレキシブル基板では、前記第１の基板本体部が、前記筐体を構成するケースの一方の面に実装され、前記第１のコネクタ実装部が、前記ケースに設けられた開口部を潜り抜けて、互いに表裏の関係をなす前記ケースの前記一方の面側から他方の面側に移されて、該他方の面側にて、前記第１の引出し部が、折曲又は湾曲されて、前記第１のコネクタ実装部に実装されている前記第１のコネクタが、その嵌合面を下向きとされる一方、前記第２のフレキシブル基板は、前記ケースの前記他方の面に実装され、前記第２の引出し部が、折曲又は湾曲されて、前記第２のコネクタ実装部に実装されている前記第２のコネクタが、その被嵌合面を上向きとされ、かつ、前記被嵌合面を上向きとされた前記第２のコネクタの上に、前記嵌合面を下向きとされた前記第１のコネクタが積重される態様で、前記第１のコネクタと前記第２のコネクタとが、嵌合されて接続されていることを特徴としている。
【０００７】
請求項３記載の発明は、請求項１又は２記載のスタッキングコネクタの接続構造に係り、前記第２のフレキシブル基板を構成する前記第２のコネクタ実装部には、前記第１のコネクタと前記第２のコネクタとを嵌合接続する際のブラインド作業を容易とするための押さえ用舌片が延設されていることを特徴としている。
【０００８】
また、請求項４記載の発明は、請求項１又は２記載のスタッキングコネクタの接続構造に係り、前記第１のフレキシブル基板では、前記第１の引出し部が、概略Ｓ字状に折曲又は湾曲されて、前記第１のコネクタ実装部側の前記第１のコネクタが、その嵌合面を下向きとされる一方、前記第２のフレキシブル基板では、前記第２の引出し部が、概略Ｕ字状に折曲又は湾曲されて、前記第２のコネクタ実装部側の前記第２のコネクタの前記被嵌合面が上向きとされていることを特徴としている。
【０００９】
また、請求項５記載の発明は、請求項１又は２記載のスタッキングコネクタの接続構造に係り、前記第２の基板本体部には電子部品又は電気部品が実装されていて、かつ、前記第２の引出し部が、折り返されて、前記第２のコネクタ実装部が、前記電子部品又は電気部品の上に搭載される態様で、前記第２のコネクタの前記被嵌合面を上向きとされていることを特徴としている。
【００１０】
請求項６記載の発明は、請求項１又は２記載のスタッキングコネクタの接続構造に係り、前記第１のフレキシブル基板では、前記第１の引出し部の幅が、前記第１の基板本体部と、前記第１のコネクタ実装部のそれらよりも、狭幅に構成されて括れ部とされ、かつ、
前記第２のフレキシブル基板では、前記第２の引出し部の幅が、前記第２の基板本体部と、前記第２のコネクタ実装部のそれらよりも、狭幅に構成されて括れ部とされていることを特徴としている。
【００１１】
また、請求項７記載の発明は、電子機器に係り、請求項１乃至６の何れか１に記載のスタッキングコネクタの接続構造を備えてなることを特徴としている。
【００１２】
また、請求項８記載の発明は、電子機器の筐体内に実装される第１のフレキシブル基板と第２のフレキシブル基板とをスタッキングコネクタを用いて接続するスタッキングコネクタの接続方法に係り、第１の基板本体部と、該第１の基板本体部から信号線を引き出すための第１の引出し部と、該第１の引出し部の先端に設けられ、第１のコネクタが実装された第１のコネクタ実装部とからなる前記第１のフレキシブル基板を形成して用意すると共に、第２の基板本体部と、該第２の基板本体部から信号線を引き出すための第２の引出し部と、該第２の引出し部の先端に設けられ、第２のコネクタが実装された第２のコネクタ実装部とからなる前記第２のフレキシブル基板を形成して用意し、前記第１のコネクタと前記第２のコネクタとを嵌合接続する際には、前記第１のフレキシブル基板に対しては、前記第１の引出し部を折曲又は湾曲して、前記第１のコネクタ実装部に実装されている前記第１のコネクタの嵌合面を下向きとする一方、前記第２のフレキシブル基板に対しては、前記第２の引出し部を折曲又は湾曲して、前記第２のコネクタ実装部に実装されている前記第２のコネクタの被嵌合面を上向きとした後、前記被嵌合面を上向きとされた前記第２のコネクタの上に、嵌合面を下向きとされた前記第１のコネクタを積重して、前記第１のコネクタと前記第２のコネクタとを、嵌合して接続することを特徴としている。
【００１３】
また、請求項９記載の発明は、電子機器の筐体内に実装される第１のフレキシブル基板と第２のフレキシブル基板とをスタッキングコネクタを用いて接続するスタッキングコネクタの接続方法に係り、第１の基板本体部と、該第１の基板本体部から信号線を引き出すための第１の引出し部と、該第１の引出し部の先端に設けられ、第１のコネクタが実装された第１のコネクタ実装部とからなる前記第１のフレキシブル基板を形成して用意すると共に、第２の基板本体部と、該第２の基板本体部から信号線を引き出すための第２の引出し部と、該第２の引出し部の先端に設けられ、第２のコネクタが実装された第２のコネクタ実装部とからなる前記第２のフレキシブル基板を形成して用意し、前記第１のコネクタと前記第２のコネクタとを嵌合接続する際には、まず、前記筐体を構成するケースの一方の面側に実装される前記第１の基板本体部を有する前記第１のフレキシブル基板に対して、前記第１のコネクタ実装部を、前記ケースに設けられた開口部を潜り抜けさせることで、互いに表裏の関係をなす前記ケースの前記一方の面側から他方の面側に移し、次に、前記第２のフレキシブル基板を、前記ケースの前記他方の面に実装し、前記第２の引出し部を、折曲又は湾曲して、前記第２のコネクタ実装部に実装されている前記第２のコネクタの被嵌合面を上向きとし、次に、前記第１の引出し部を、折曲又は湾曲して、前記第１のコネクタ実装部に実装されている前記第１のコネクタの嵌合面を下向きとし、前記被嵌合面を上向きとされた前記第２のコネクタの上に、嵌合面を下向きとされた前記第１のコネクタを積重して、前記第１のコネクタと前記第２のコネクタとを、嵌合して接続することを特徴としている。
【００１４】
また、請求項１０記載の発明は、電子機器の筐体内に実装される第１のフレキシブル基板と第２のフレキシブル基板とをスタッキングコネクタを用いて接続するスタッキングコネクタの接続方法に係り、第１の基板本体部と、該第１の基板本体部から信号線を引き出すための第１の引出し部と、該第１の引出し部の先端に設けられ、第１のコネクタが実装された第１のコネクタ実装部とからなる前記第１のフレキシブル基板を形成して用意すると共に、第２の基板本体部と、該第２の基板本体部から信号線を引き出すための第２の引出し部と、該第２の引出し部の先端に設けられ、第２のコネクタが実装された第２のコネクタ実装部と、該第２のコネクタ実装部に延設された押さえ用舌片とからなる前記第２のフレキシブル基板を形成して用意し、前記第１のコネクタと前記第２のコネクタとを嵌合接続する際には、まず、前記第２のフレキシブル基板側の前記第２の引出し部を折曲又は湾曲して、前記第２のコネクタ実装部に実装されている前記第２のコネクタの被嵌合面を上向きとし、前記押さえ用舌片を押さえて、前記第２のコネクタの上向きの前記被嵌合面の姿勢を適正状態に保持しながら、前記第１のフレキシブル基板側の前記第１の引出し部を折曲又は湾曲して、前記第１のコネクタ実装部に実装されている前記第１のコネクタの嵌合面を下向きとして、前記被嵌合面を上向きとされた前記第２のコネクタの上に、前記嵌合面を下向きとされた前記第１のコネクタを積重して、前記第１のコネクタと前記第２のコネクタとを、嵌合して接続することを特徴としている。
【００１５】
また、請求項１１記載の発明は、電子機器の筐体内に実装される第１のフレキシブル基板と第２のフレキシブル基板とをスタッキングコネクタを用いて接続するスタッキングコネクタの接続方法に係り、第１の基板本体部と、該第１の基板本体部から信号線を引き出すための第１の引出し部と、該第１の引出し部の先端に設けられ、第１のコネクタが実装された第１のコネクタ実装部とからなる前記第１のフレキシブル基板を形成して用意すると共に、第２の基板本体部と、該第２の基板本体部から信号線を引き出すための第２の引出し部と、該第２の引出し部の先端に設けられ、第２のコネクタが実装された第２のコネクタ実装部と、該第２のコネクタ実装部に延設された押さえ用舌片とからなる前記第２のフレキシブル基板を形成して用意し、前記第１のコネクタと前記第２のコネクタとを嵌合接続する際には、まず、前記筐体を構成するケースの一方の面側に実装される前記第１の基板本体部を有する前記第１のフレキシブル基板に対して、前記第１のコネクタ実装部を、前記ケースに設けられた開口部を潜り抜けさせることで、互いに表裏の関係をなす前記ケースの前記一方の面側から他方の面側に移し、次に、前記第２のフレキシブル基板を、前記ケースの前記他方の面に実装し、前記第２の引出し部を、折曲又は湾曲して、前記第２のコネクタ実装部に実装されている前記第２のコネクタの被嵌合面を上向きとし、前記押さえ用舌片を押さえて、前記第２のコネクタの上向きの前記被嵌合面の姿勢を適正状態に保持しながら、前記第１のフレキシブル基板側の前記第１の引出し部を折曲又は湾曲して、前記第１のコネクタ実装部に実装されている前記第１のコネクタの嵌合面を下向きとして、前記被嵌合面を上向きとされた前記第２のコネクタの上に、嵌合面を下向きとされた前記第１のコネクタを積重して、前記第１のコネクタと前記第２のコネクタとを、嵌合して接続することを特徴としている。
【００１６】
また、請求項１２記載の発明は、請求項８、９、１０又は１１記載のスタッキングコネクタの接続方法に係り、前記第１のフレキシブル基板に対しては、前記第１の引出し部を、概略Ｓ字状に折曲又は湾曲して、前記第１のコネクタ実装部に実装されている前記第１のコネクタの嵌合面を下向きとする一方、前記第２のフレキシブル基板に対しては、前記第２の引出し部を、概略Ｕ字状に折曲又は湾曲して、前記第２のコネクタ実装部に実装されている前記第２のコネクタの前記被嵌合面を上向きとすることを特徴としている。
【００１７】
また、請求項１３記載の発明は、請求項８、９、１０又は１１記載のスタッキングコネクタの接続方法に係り、前記第２の基板本体部に電子部品又は電気部品を実装し、かつ、前記第２の引出し部を、折り返して、前記第２のコネクタ実装部を、前記電子部品又は電気部品の上に搭載した状態で、前記第２のコネクタの前記被嵌合面を上向きとすることを特徴としている。
【００１８】
また、請求項１４記載の発明は、請求項８、９、１０又は１１記載のスタッキングコネクタの接続方法に係り、前記第１のフレキシブル基板では、前記第１の引出し部の幅が、前記第１の基板本体部と、前記第１のコネクタ実装部のそれらよりも、狭幅に構成されて括れ部とされ、かつ、前記第２のフレキシブル基板では、前記第２の引出し部の幅が、前記第２の基板本体部と、前記第２のコネクタ実装部のそれらよりも、狭幅に構成されて括れ部とされていることを特徴としている。
【発明の効果】
【００１９】
この発明の構成によれば、前記第１のフレキシブル基板では、前記第１の引出し部が、折曲又は湾曲されて、前記第１のコネクタ実装部に実装されている前記第１のコネクタが、その嵌合面を下向きとされる一方、前記第２のフレキシブル基板では、前記第２の引出し部が、折曲又は湾曲されて、前記第２のコネクタ実装部に実装されている前記第２のコネクタが、その被嵌合面を上向きとされ、かつ、前記被嵌合面を上向きとされた前記第２のコネクタの上に、嵌合面を下向きとされた前記第１のコネクタが積重される態様で、前記第１のコネクタと前記第２のコネクタとが、嵌合接続されるので、機器筐体内の空き空間（クリアランス）を有効に活用でき、機器筐体の小型化薄型化に寄与できる。
【００２０】
ここで、前記第２の基板本体部には電子部品又は電気部品が実装され、かつ、前記第２の引出し部が、折り返されて、前記第２のコネクタ実装部が、前記電子部品又は電気部品の上に搭載される態様で、前記第２のコネクタの被嵌合面を上向きにする構成とすれば、さらに一段と機器筐体の小型化を達成できる。
【００２１】
また、前記第２のフレキシブル基板を構成する前記第２のコネクタ実装部から延在する態様で、押さえ用舌片を設けるようにすれば、作業者が押さえ用舌板を手や押さえ具等で押さえることで、前記第２のフレキシブル基板の折曲又は湾曲（折り返し）に対する反力による拡開を防止できるので、前記第１のコネクタと前記第２のコネクタとを嵌合接続する作業（ブラインド嵌合作業）が一段と容易となり、それゆえ、作業の円滑化を図ることができる。
【発明を実施するための最良の形態】
【００２２】
例えば、サブフレキシブル基板（第２のフレキシブル基板）に実装された電子部品又は電気部品の上方に空き空間（クリアランス）があるとき、この発明のスタッキングコネクタの接続方法及び接続構造を適用して、電子部品又は電気部品の上にスタッキングコネクタを積重して実装し、空き空間にスタッキングコネクタを接続して収納する。
【００２３】
具体的には、電子機器筐体に実装される基板（第１及び第２のフレキシブル基板）として、メイン基板本体部（第１の基板本体部）から、細幅のＳ字状引出し部(第１の引出し部)を介して、一体的に延在される上側コネクタ実装部（第１のコネクタ実装部）を備えるメインフレキシブル基板（第１のフレキシブル基板）と、サブ基板本体部（第２の基板本体部）から、細幅のU字状引出し部(第２の引出し部)を介して、一体的に延在される下側コネクタ実装部（第２のコネクタ実装部）を備えるサブフレキシブル基板（第２のフレキシブル基板）とを用い、上記メインフレキシブル基板では、細幅のＳ字状引出し部を、Ｓ字状に折曲又は湾曲して、上側コネクタ実装部に実装されている上側コネクタ部分（第１のコネクタ）の嵌合面を下向き姿勢とする一方、上記サブフレキシブル基板では、細幅のU字状引出し部を、U字状に折曲又は湾曲して（折り返して）、下側コネクタ実装部に実装されている下側コネクタ部分の被嵌合面を上向き姿勢とし、この状態で、被嵌合面が上を向く下側コネクタ部分の上に嵌合面が下を向く上側コネクタ部分を積み重ねて、上記上側コネクタ部分と下側コネクタ部分とを嵌合して接続する。
このようにして得られる構成によれば、筐体内の空き空間の有効利用を図ることができ、その分、機器の小型化に寄与できる。
【００２４】
ここで、サブコネクタ実装部から延在する態様で、押さえ用舌片を設けるようにすれば、作業者が押さえ用舌板を手や押さえ具等で押さえることで、サブフレキシブル基板の折曲又は湾曲（折り返し）に対する反力による拡開を防止できるので、メインコネクタとサブコネクタとを嵌合接続する作業（ブラインド嵌合作業）が一段と容易となり、それゆえ、作業性の向上を図ることができる。
【実施例１】
【００２５】
図１は、この発明の第１実施例に係る折畳式携帯電話機の表側外観構成を示す斜視図、図２は、同携帯電話機の裏側外観構成を示す斜視図である。また、図３は、この発明の第１実施例であるスタッキングコネクタの接続構造を分解して示す構成図で、同携帯電話機に実装されるスタッキングコネクタの接続構造を示す分解斜視図、図４は、同スタッキングコネクタの接続構造の一方側であるメインフレキシブルケーブルの構成を示す図で、同図（ａ）は、同メインフレキシブルケーブルの平面図、同図（ｂ）は同メインフレキシブルケーブルの側面図である。また、図５は、同スタッキングコネクタの接続構造の他方側であるサブフレキシブルケーブルの構成を示す平面図、図６は、図５のＡ−Ａ線に沿う同サブフレキシブルケーブルの構成を示す断面図である。また、図７は、同携帯電話機の筐体内部に実装された同スタッキングコネクタの接続構造を示す平面図、図８は、図７のＢ−Ｂ線に沿う同スタッキングコネクタの接続構造を示す断面図、また、図９は、図７のＣ−Ｃ線に沿う同スタッキングコネクタの接続構造を示す断面図である。
【００２６】
まず、図１及び図２を参照して、この例のスタッキングコネクタ（積重型コネクタ）の接続構造が適用される折畳式携帯電話機１の概略構成について説明する。
この携帯電話機１は、図１及び図２に示すように、上部筐体２と下部筐体３とがヒンジ部４を介して折畳み自在に結合されて構成されている。上部筐体２には、表示パネル５や図示せぬスピーカ等が搭載されていて、また、下部筐体３には、キー操作部６、カメラ７、図示せぬ制御部、無線部、マイクロホン、及び電池パック等が搭載されている。上記下部筐体３は、上述の各部、各部品を搭載装着するためのケース８と、ケースカバー９と、電池パック交換用の開閉蓋１０とから構成されている。上記ケース８は、例えばＡＢＳ樹脂等の合成樹脂フレームと金属板とから構成されている。
【００２７】
上記キー操作部６は、ケース８の裏面側に設けられていて、詳細に言えば、キーパッドやキーＬＥＤ等が実装されているメインフレキシブル基板（第１のフレキシブル基板）１１が両面粘着テープを用いてケース８の裏面（携帯電話機１としては表側（内側））に貼着され、このメインフレキシブル基板１１（図３）の上面に、キーシート１２（図１）が被せられることで構成されている。キー操作部６と、ＣＰＵ（中央処理装置）やメモリ等の制御部が搭載された図示せぬ制御回路基板（マザーボード）とは、メインフレキシブル基板１１に実装された上側コネクタ１３ａと、サブフレキシブル基板１４に実装された下側コネクタ１３ｂとからなるスタッキングコネクタ１３（図３乃至図９）によって電気的に接続され、これらの接続部品を介して、相互の間で各種信号の授受を行う構成となっている。
【００２８】
上記メインフレキシブル基板１１は、各種のキーボタンを有するキーシートと協働することから、キーフレキシブル基板とも言われ、図３及び図４に示すように、ケース８の裏面側（携帯電話機としては表側（内側））に貼着配置されるメイン基板本体部１１ａと、このメイン基板本体部１１ａから信号線を引き出すためのＳ字状引出し部１１ｂと、このＳ字状引出し部１１ｂの先端に設けられた上側コネクタ実装部１１ｃとから構成されている。上側コネクタ実装部１１ｃには、上側コネクタ１３ａが実装されている。ここで、上側コネクタ実装部１１ｃは、後述するように、ケース８の図４中下端部に穿設された開口部８ａを潜り抜けて、ケース８の内側（携帯電話機としては裏側（外側））に移設されて、ケース８の内側にて、上側コネクタ１３ａが、下側コネクタ１３ｂに嵌合してスタッキングコネクタ１３が構成されている（図３、図８及び図９）。なお、Ｓ字状引出し部１１ｂは、メインフレキシブル基板１１全体から見れば、細幅のため、括れ部分に相当している。
【００２９】
上記サブフレキシブル基板１４は、ケース８の内側（携帯電話機としては裏側（外側））の図３中下端部に配設され、図３乃至図８に示すように、サブ基板本体部１４ａと、このサブ基板本体部１４ａから信号線を引き出すためのＵ字状引出し部１４ｂと、このＵ字状引出し部１４ｂの先端に設けられ、下側コネクタ１３ｂが実装されている下側コネクタ実装部１４ｃと、この下側コネクタ実装部１４ｃの右端部から延設され、機器組立時、上側コネクタ１３ａと下側コネクタ１３ｂとを嵌合接続する際のブラインド作業を容易とするための押さえ用舌片１４ｄとから構成されている。なお、Ｕ字状引出し部１４ｂは、サブフレキシブル基板１４全体から見れば、細幅のため、括れ部分に相当している。上記サブ基板本体部１４ａには、ＳＩＭ（Subscriber Identity Module）カードコネクタ等の外部接続コネクタ１５やシリコンマイク１６やスペーサ１７等が実装されている。
【００３０】
この例では、上記サブフレキシブル基板１４は、メインフレキシブル基板（キーフレキシブル基板）１１と、制御回路基板との間に電気的に介挿される基板で、メインフレキシブル基板（キーフレキシブル基板）１１とは、スタッキングコネクタ１３と接続され、制御回路基板とは、ケーブルを介して接続されている。
【００３１】
次に、図７乃至図９を参照して、この例のスタッキングコネクタの接続構造について説明する。
まず、メインフレキシブル基板１１では、図９に示すように、メイン基板本体部１１ａが、ケース８の裏面側（外側）に両面粘着テープで貼着実装されている。Ｓ字状引出し部１１ｂが、ケース８側を向く方向に折曲又は湾曲され、この助けを借りて、上側コネクタ実装部１１ｃが、ケース８に設けられた開口部８ａを潜り抜けて、ケース８の表面側（内側）に移されている。ケース８の表面側（内側）では、Ｓ字状引出し部１１ｂが、ケース８の表面に平行な方向に(つまり、全体としてＳ字を形成するように、)再び折曲又は湾曲され、この助けを借りて、上側コネクタ実装部１１ｃに実装されている上側コネクタ１３ａの嵌合面が下向きとされている。一方、ケース８の表面側（内側）のサブフレキシブル基板１４では、Ｕ字状引出し部１４ｂが、同図に示すように、Ｕ字状に折り返（折曲又は湾曲）されて、下側コネクタ実装部１４ｃに実装されている下側コネクタ１３ｂの被嵌合面が上向きとされ、シリコンマイク１６の上に積み重ねられたスペーサの上に、下側コネクタ１３ｂが載置されている。そして、被嵌合面を上向きとされた下側コネクタ１３ｂの上に、嵌合面を下向きとされた上側コネクタ１３ａが積重されて、上側コネクタ１３ａが下側コネクタ１３ｂに嵌合されて、この例のスタッキングコネクタの接続構造が構成されている（図７、図８及び図９）。
【００３２】
この例の構成によれば、ケース（筐体）８内の空き空間の有効利用を図ることができ、その分、携帯電話機などの電子機器の小型化に寄与できる。
【００３３】
次に、図３、及び図７乃至図９を参照して、この例のスタッキングコネクタの接続方法について説明する。
この例のスタッキングコネクタの接続構造を組立するには、まず、メインフレキシブル基板１１について、図３に示すように、Ｓ字状引出し部１１ｂ（括れ部分）を、ケース８側を向く方向に折曲又は湾曲して、この助けを借りて、上側コネクタ実装部１１ｃを、ケース８に設けられた開口部８ａを潜り抜けさせて、ケース８の表面側（内側）に移動させる。この後、メイン基板本体部１１ａを、ケース８の裏面側（外側）に両面粘着テープを用いて貼着実装する。
【００３４】
次に、サブフレキシブル基板１４をケース８の表面側（内側）に実装した後、Ｕ字状引出し部１４ｂを、Ｕ字状に折り返（折曲又は湾曲）して、この助けを借りて、下側コネクタ実装部１４ｃに実装されている下側コネクタ１３ｂの被嵌合面を上向き姿勢にした状態で、シリコンマイク１６の上に積み重ねられたスペーサの上に、下側コネクタ１３ｂを載置する。
【００３５】
この後、押さえ用舌片１４ｄを手や治具で押さえて、下側コネクタ１３ｂの被嵌合面を適正な上向き姿勢に保持しながら、ケース８の表面側（内側）にて、メインフレキシブル基板１１側のＳ字状引出し部１１ｂを、逆向きに再び折曲又は湾曲して、上側コネクタ実装部１１ｃに実装されている上側コネクタ１３ａの嵌合面を下向き姿勢とし、下側コネクタ１３ｂの被嵌合面を上向きとされた下側コネクタ１３ｂの上に、嵌合面を下向きとされた上側コネクタ１３ａを積重し、上側コネクタ１３ａを下側コネクタ１３ｂに嵌合すると、この例のスタッキングコネクタの接続構造が完成する（図３、図７、図８及び図９）。
【００３６】
上側コネクタ１３ａと下側コネクタ１３ｂとの上下方向の嵌合接続作業は、作業者には、嵌合部の状況が見えないブラインド作業となるので、従来では、サブフレキシブル基板１４の折曲又は湾曲（折り返し）に対する反力（拡開力）のため、嵌合位置を正確に合わせることは容易ではなかった。
しかしながら、この例の接続方法によれば、作業者が押さえ用舌板１４ｄを手や押さえ具等で軽く押さえるだけで、あるいは、押さえている間は、下側コネクタ１３ｂの被嵌合面の上向き姿勢を適正状態に保持でき、それゆえ、サブフレキシブル基板１４の折曲又は湾曲（折り返し）に対する反力による拡開を防止できるので、この種のブラインド嵌合作業が一段と容易となり、それゆえ、作業能率の向上を図ることができる。
【実施例２】
【００３７】
図１０は、この発明の第２実施例である、スタッキングコネクタ２３の接続構造を示す断面図である。
この例の構成が、上述の第１実施例のそれと大きく異なるところは、メインフレキシブル基板２１（第２のフレキシブル基板）側に下側コネクタ２３ｂが設けられて、その被嵌合面を上向きとし、サブフレキシブル基板２４（第１のフレキシブル基板）側に上側コネクタ２３ａが実装されて、その嵌合面を下向き姿勢となるようにしても良い。この例の構成では、図示せぬ押さえ用舌板は、メインフレキシブル基板２１側の下側コネクタ実装部２１ｃに延設されることなる。
【実施例３】
【００３８】
図１１は、この発明の第３実施例である、スタッキングコネクタの接続構造を示す断面図である。第１実施例に代えて、この例の構成のように、電子部品又は電気部品１６ａをスタッキングコネクタ１３の上に載置するようにしても良い。
【実施例４】
【００３９】
図１２は、この発明の第４実施例である、スタッキングコネクタの接続構造を示す断面図である。第２実施例に代えて、この例の構成のように、電子部品又は電気部品１６ａをスタッキングコネクタ１３の上に載置するようにしても良い。
【００４０】
以上、この発明の実施例を図面を参照して詳述してきたが、具体的な構成はこの実施例に限られるものではなく、この発明の要旨を逸脱しない範囲の設計の変更等があってもこの発明に含まれる。電子機器は、携帯電話機に限定されるものではない。また、上述の実施例では、メインフレキシブル基板の本体部がケース裏面に実装され、サブフレキシブル基板の本体部がケース表面に実装される場合について述べたが、これに限らず、共に、同一面に構成するようにしても、この発明を適用できる。
また、上述の実施例では、各引出し部が、概略Ｕ字状又はＳ字状に屈曲又は湾曲するようにした場合について述べたが、屈曲湾曲形状は、これらに限定されず、必要に応じて、最適の形状に設定することができる。また、必要に応じて、押さえ用舌片を省略できる。
【図面の簡単な説明】
【００４１】
【図１】この発明の第１実施例に係る携帯電話機の表側外観構成を示す概略斜視図である。
【図２】同携帯電話機の裏側外観構成を示す斜視図である。
【図３】この発明の第１実施例であるスタッキングコネクタの接続構造を分解して示す構成図で、同携帯電話機に実装されるスタッキングコネクタの接続構造を示す分解斜視図である。
【図４】同スタッキングコネクタの接続構造の一方側であるメインフレキシブルケーブルの構成を示す図で、同図（ａ）は、同メインフレキシブルケーブルの平面図、同図（ｂ）は同メインフレキシブルケーブルの側面図である。
【図５】同スタッキングコネクタの接続構造の他方側であるサブフレキシブルケーブルの構成を示す平面図である。
【図６】図５のＡ−Ａ線に沿う同サブフレキシブルケーブルの概略構成を示す断面図である。
【図７】同携帯電話機の筐体内部に実装された同スタッキングコネクタの接続構造を示す平面図である。
【図８】図７のＢ−Ｂ線に沿う同スタッキングコネクタの接続構造を示す概略断面図である。
【図９】図７のＣ−Ｃ線に沿う同スタッキングコネクタの接続構造を示す断面図である。
【図１０】この発明の第２実施例である、スタッキングコネクタの接続構造を示す断面図である。
【図１１】この発明の第３実施例である、スタッキングコネクタの接続構造を示す断面図である。
【図１２】この発明の第４実施例である、スタッキングコネクタの接続構造を示す断面図である。
【符号の説明】
【００４２】
１        携帯電話機（電子機器）
３        下部筐体（筐体）
８        ケース８（筐体の一部）
８ａ        開口部
１１、２１      メインフレキシブル基板（第１のフレキシブル基板）
１１ａ        メイン基板本体部（第１の基板本体部）
１１ｂ        Ｓ字状引出し部（第１の引出し部）
１１ｃ、２１ｃ        上側コネクタ実装部（コネクタ実装部）
１４、２４      サブフレキシブル基板（第２のフレキシブル基板）
１４ａ        サブ基板本体部（第２の基板本体部）
１４ｂ        Ｕ字状引出し部（第２の引出し部）
１４ｃ        下側コネクタ実装部（第２のコネクタ実装部）
１４ｄ        押さえ用舌片
１３        スタッキングコネクタ
１３ａ、２３ａ        上側コネクタ（第１のコネクタ）
１３ｂ、２３ｂ        下側コネクタ（第２のコネクタ）
第１のコネクタの嵌合面
第２のコネクタの被嵌合面
１５      外部接続コネクタ（電子部品又は電気部品）
１６      シリコンマイク（電子部品又は電気部品）
【図１】
2008198449.tif 000003
【図２】
2008198449.tif 000004
【図３】
2008198449.tif 000005
【図４】
2008198449.tif 000006
【図５】
2008198449.tif 000007
【図６】
2008198449.tif 000008
【図７】
2008198449.tif 000009
【図８】
2008198449.tif 000010
【図９】
2008198449.tif 000011
【図１０】
2008198449.tif 000012
【図１１】
2008198449.tif 000013
【図１２】
2008198449.tif 000014